(57)【要約】【課題】通電検査時に制御基板のアースを取るためのアースリード線が、どこにも固定されていないため、アースリード線が他部品もしくは他のアース箇所へ接触し、アースとしての機能が失われ、制御基板の部品が壊れてしまう。【解決手段】制御基板上にアースリード線を固定させるための固定用部材を用いることにより簡単にアースリード線を固定させることでき、アースリード線を他部品もしくは他のアース箇所へ接触させず、通電検査を行うことができる。【選択図】図１
2011060628.tif 000002
【特許請求の範囲】
【請求項１】
制御基板と、前記制御基板上に電源の電力を高周波に変換するための半導体スイッチング素子およびコンデンサを含むインバータ回路と、前記インバータ回路により高周波化された電力を高圧に変換しかつ高圧を必要とするマグネトロンに電力を供給する昇圧トランスと、前記制御基板のアースを取るためのアースリード線が制御基板に実装されており、前記アースリード線を固定させるための固定用部材が前記制御基板上に備えたマグネトロン駆動用電源。
【請求項２】
前記固定用部材がタブ端子である請求項１に記載のマグネトロン駆動用電源。
【請求項３】
前記固定用部材が、上方部に隙間を設けていることにより、アースリード線の端子部を収納できる請求項１に記載のマグネトロン駆動用電源。
【請求項４】
前記固定用部材が、アースリード線を挿入させる箇所が二つに割れて弾力性を持たせた請求項１に記載のマグネトロン駆動用電源。
【請求項５】
前記固定用部材が、制御基板の孔に係合する部分が割れて弾力性を有する請求項１、３または４に記載のマグネトロン駆動用電源。
【請求項６】
前記制御基板のアースを取るためのアースリード線の端子部がリセプタクルタイプである請求項１から５のいずれか１項に記載のマグネトロン駆動用電源。
【請求項７】
前記制御基板のアースを取るためのアースリード線の端子部が丸型端子である請求項１から５のいずれか１項に記載のマグネトロン駆動用電源。
【発明の詳細な説明】
【技術分野】
【０００１】
本発明は、電子レンジなどに使用されるマグネトロンを負荷とするマグネトロン駆動用電源に関するものである。
【背景技術】
【０００２】
従来のマグネトロン駆動用電源について図面を用いて説明する。図５は従来のマグネトロン駆動用電源の構成を示すブロック構成図である。
【０００３】
この図に示されるマグネトロン駆動用電源は、単方向電源部１と、インバータ回路部２と、駆動回路３と、高圧整流回路４と、マグネトロン５及び制御手段６から構成されている。
【０００４】
単方向電源部１は、商用電源１０１からの交流電源を全波整流するダイオードブリッジ１０２と、チョークコイル１０３及びコンデンサ１０４よりなるローパスフィルター回路であり、インバータ部２の高周波スイッチング動作に対するフィルターの役割を果たすものである。
【０００５】
インバータ回路部２は、共振コンデンサ２０１と、スイッチング素子２０２と、転流ダイオード２０３と、昇圧トランス２０４から構成される。スイッチング素子２０２は、駆動回路３より、与えられる２０〜５０ｋＨｚのスイッチング制御信号によってスイッチング動作する。これにより、昇圧トランス２０４の一次巻線には高周波電圧が発生する。
【０００６】
高圧整流回路４は、コンデンサ４０１及び４０２とダイオード４０３及び４０４とから構成されており、昇圧トランス２０４の二次巻線で発生した電圧を半波倍電圧整流することで高圧直流電圧を発生し、マグネトロン５に印加する。
【０００７】
マグネトロン５には、昇圧トランス２０４のヒータ巻線からヒータ用の交流電圧も印加される。マグネトロン５は、ヒータ用の交流電圧が印加されることで、陰極が傍熱されて発振可能な状態となり、この状態で高圧電流電圧が印加されると電磁波エネルギーを発生する。
【０００８】
この高圧整流回路４及び昇圧トランス２０４のアース接続方法は、例えば、特許文献１の図６に示されるようにアースリード線６を使用している。この制御基板７のアースが取れていない場合は、人に感電してしまう恐れがある。また制御基板上の部品の基準電位がぶれてしまうため、正常な動作をしなかったり、基板上の部品が壊れたりしてしまう。
【０００９】
また、この制御基板７を作成するときには図７のように、このアースリード線６からアースを取るのではなく、通常は、基板の半田面側にあるアース部のパターン７０１に直接通電検査機器、例えばインサーキットテストピン９を接触させることにより、容易にアースを取ることができ、そして検査時間を短く検査を行うことができる。
【先行技術文献】
【特許文献】
【００１０】
【特許文献１】特開昭６２−１９０６９２号公報
【発明の概要】
【発明が解決しようとする課題】
【００１１】
しかしながら、制御基板にアースリード線を用いている場合、この制御基板を作成する時にはこのアースリード線が邪魔になってきてしまう。
【００１２】
特に、通電検査を行とき、基板の半田面側でアースを取っているにも関わらず、このアースリード線がどこにも固定されておらず、アースリード線が他部品もしくは他のアース箇所へ接触した場合には、アースとしての機能が失われてしまう。このため、制御基板の部品が壊れてしまうという不具合が生じてしまうという問題があった。
【００１３】
本発明は、このような課題に鑑みてなしたものであり、容易に制御基板にアースリード線を固定させることができるマグネトロン駆動用電源を提供することを目的とする。
【課題を解決するための手段】
【００１４】
本発明は、前記従来の課題を解決するために、本発明のマグネトロン駆動用電源は、制御基板と、前記制御基板上に電源の電力を高周波に変換するための半導体スイッチング素子およびコンデンサを含むインバータ回路と、前記インバータ回路により高周波化された電力を高圧に変換しかつ高圧を必要とするマグネトロンに電力を供給する昇圧トランスと、前記制御基板のアースを取るためのアースリード線が制御基板に実装されており、前記アースリード線を固定させるための固定用部材が前記制御基板上に備えたものである。これにより、アースリード線を簡単に固定することができる。
【発明の効果】
【００１５】
本発明のマグネトロン駆動用電源によれば、制御基板上にアースリード線を固定させるための固定用部材を用いることにより、簡単にアースリード線を固定させることでき、アースリード線を他部品もしくは他のアース箇所へ接触させずに通電検査を行うことができる。
【図面の簡単な説明】
【００１６】
【図１】本発明の実施の形態１におけるマグネトロン駆動用電源の固定用部材の構成を示す図
【図２】本発明の実施の形態２におけるマグネトロン駆動用電源の固定用部材の構成を示す図
【図３】本発明の実施の形態２におけるマグネトロン駆動用電源の固定用部材の形状を示す図
【図４】本発明の実施の形態３におけるマグネトロン駆動用電源の固定用部材の構成を示す図
【図５】従来のマグネトロン駆動用電源の構成を示すブロック構成図
【図６】従来のマグネトロン駆動用電源のアースを取るためのアースリード線の構成を示す図
【図７】従来のマグネトロン駆動用電源の通電検査方法を示す図
【発明を実施するための形態】
【００１７】
第１の発明は、制御基板上に電源の電力を高周波に変換するための半導体スイッチング素子およびコンデンサを含むインバータ回路と、前記インバータ回路により高周波化された電力を高圧に変換しかつ高圧を必要とするマグネトロンに電力を供給する昇圧トランスと、前記昇圧トランスのアースを取るためのアースリード線が制御基板に実装されており、前記アースリード線を固定させるための固定用部材が前記制御基板上に備えている構成としたものである。これにより、アースリード線を簡単に固定することができる。
【００１８】
第２の発明は、特に第１の発明において、固定用部材の構成がタブ端子を用いたものである。これにより、アースリード線の先端部がリセクタプルタイプの場合にアースリード
線を容易に固定させることができる。
【００１９】
第３の発明は、特に第１の発明において、固定用部材の上方部に隙間を設けたものである。これにより、アースリード線の端子部を収納でき、アースリード線を容易に固定させることができる。
【００２０】
第４の発明は、特に第１の発明において、固定用部材のアースリード線を挿入させる箇所が二つに割れて弾力性を持たせる構成としたものである。これにより、容易にアースリード線を挿入しやすく固定することができる。
【００２１】
第５の発明は、特に第１の発明において、制御基板に孔を設けており、この孔に固定用部材を係合する構成としたものである。この固定用部材が孔と結合する先の部分が割れて弾力性を持たせたことより、基板への取り付け、取り外しを容易に行うことができる。
【００２２】
第６の発明は、特に第１から第５のいずれか一つの発明において、制御基板のアースを取るためのアースリード線の端子部がリセプタクルタイプを用いたものである。これにより、固定用部材をタブ端子にするなどの工夫により容易に基板に固定することができる。
【００２３】
第７の発明は、特に第１から第５のいずれか一つの発明において、制御基板のアースを取るためのアースリード線の端子部が丸型端子を用いている構成としたものである。これにより、固定用部材に丸型端子を挿入できる形にするなどの工夫により容易に基板に固定することができる。
【００２４】
以下、本発明の実施の形態について、図面を参照しながら説明する。なお、この実施の形態は、本発明を具現化した単なる例示に過ぎず、本発明は特許請求の範囲に記載した構成の範囲で変更を加えた種々の態様を含むものである。
【００２５】
（実施の形態１）
図１は、本発明の実施の形態１にかかる電気機器の構成を示した図であり、図１（ａ）は、アースリード線６を固定用部材８に実装していない状態、図１（ｂ）は、アースリード線６を固定用部材８に実装した状態をそれぞれ示す。
【００２６】
本実施の形態の電気機器の構成は、制御基板７のアースを確実に取るためにアースリード線６の先端部はタブ端子（固定用部材）に直接固定できるリセクタプルタイプを使用している。また、この同一制御基板上７に、この制御基板の性能とは関係しない、もしくは制御基板７のアースパターンに接続されている固定用部材８が実装されている。
【００２７】
この固定用部材８がアースリード線の固定用部材８として使用される。つまり、このアースリード線６を使用しない場合、通電検査を行ときなどは、固定用部材８にアースリード線をそのままこの固定用部材８に挿入することにより、アースリード線６を固定することができ、たとえ通電検査時においても、他部品もしくは他のアース箇所へ接触させず、通電検査を行うことができる。
【００２８】
（実施の形態２）
図２は、図１に示した上記実施の形態１のアースリード線６とアースリード線６の固定用部材８の種類を変更した、本発明の実施の形態２のマグネトロン駆動用電源を示した図であり、図２（ａ）は、アースリード線６を固定用部材８に実装していない状態、図２（ｂ）は、アースリード線６を固定用部材８に実装した状態をそれぞれ示す。
【００２９】
図２を参照して説明する。本実施の形態の電気機器の構成は、制御基板７のアースを確
実に取るためにアースリード線６の先端部は丸型端子を用いており、この丸型端子の穴にビスを挿入しアースをとる構成としている。
【００３０】
図３は、本実施の形態におけるマグネトロン駆動用電源の固定用部材の形状を示す図であり、図３（ａ）はその正面図、図３（ｂ）はその上面図である。
【００３１】
図３に示すように、この同一制御基板上７にアースリード線６の固定用部材８が実装されている。この固定用部材８の形状は、上方部に隙間を設けており、さらにバネ性を持った構造となっていることにより、アースリード線６の丸型端子をそのまま収納でき、容易には外れない構造となっている。
【００３２】
アースリード線６を使用しない通電検査を行ときなどは、アースリード線６をそのままこの固定用部材８に挿入することにより、アースリード線６を固定することができ、たとえ通電検査時においても、他部品もしくは他のアース箇所へ接触させず、通電検査を行うことができる。
【００３３】
（実施の形態３）
図４は、図１、図２に示した上記実施の形態１、２のアースリード線の固定用部材の種類を変更した、本発明の実施の形態２のマグネトロン駆動用電源を示した図であり、図４（ａ）は、アースリード線６を固定用部材８に実装していない状態、図４（ｂ）は、アースリード線６を固定用部材８に実装した状態をそれぞれ示す。
【００３４】
図４を参照して説明する。本実施の形態の電気機器の構成は、制御基板上に制御基板７のアースリード線６とこのアースリード線６を固定するための固定用部材８が実装されおり、この固定用部材８が制御基板７の孔と結合する先の部分が割れて弾力性を持たせていることより、制御基板７への取り付け、取り外しが可能である。
【００３５】
さらに、固定用部材８にアースリード線６を挿入させる箇所は、二つに割れており弾力性を持たせる構成としていることにより、容易にアースリード線６を固定用部材８へ挿入しやすく容易に固定することができる。
【００３６】
また、爪のようなストッパーを設けていることにより、挿入はしやすいが、容易にはずすことが出来ないような構成となっている。
【００３７】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００３８】
以上のように、本発明にかかるマグネトロン駆動用電源は、電子レンジ等のマイクロ波加熱装置に適用できるものであり、制御基板上にアースリード線を固定させるための固定用部材を用いることにより簡単にアースリード線を固定させることでき、アースリード線を他部品もしくは他のアース箇所へ接触させずに通電検査を行うことができる。
【符号の説明】
【００３９】
１  単方向電源部
２  インバータ回路部
３  駆動回路
４  高圧整流回路
５  マグネトロン
６  アースリード線
７  プリント基板
８  固定用部材
９  インサーキットテストピン
１０１  商用電源
１０２  ダイオードブリッジ
１０３  チョークコイル
１０４  コンデンサ
２０１  共振コンデンサ
２０２  半導体スイッチング素子
２０３  転流ダイオード
２０４  昇圧トランス
２０５  半導体スイッチング素子
４０１、４０２  コンデンサ
４０３、４０４  ダイオード
【図２】
2011060628.tif 000003
【図３】
2011060628.tif 000004
【図４】
2011060628.tif 000005
【図５】
2011060628.tif 000006
【図７】
2011060628.tif 000007
【図１】
2011060628.tif 000008
【図６】
2011060628.tif 000009